(57)【要約】【課題】同期信号の通信の信頼性を向上させ、好適な立体映像の視聴を視聴者に提供することができる表示装置及び映像視聴システムを提供する。【解決手段】左眼で視聴される左眼用の映像と右眼で視聴される右眼用の映像とを含む立体映像を表示する表示装置であって、前記左眼用の映像と、前記右眼用の映像と、を表示する表示部と、前記立体映像に同期した同期信号を送信する送信部と、を備え、該送信部は、第１送信部と、該第１送信部から離間して配設された第２送信部と、を含むことを特徴とする表示装置。【選択図】図１
2011147123.tif 000002
【特許請求の範囲】
【請求項１】
左眼で視聴される左眼用の映像と右眼で視聴される右眼用の映像とを含む立体映像を表示する表示装置であって、
前記左眼用の映像と、前記右眼用の映像と、を表示する表示部と、
前記立体映像に同期した同期信号を送信する送信部と、を備え、
該送信部は、第１送信部と、該第１送信部から離間して配設された第２送信部と、を含むことを特徴とする表示装置。
【請求項２】
前記表示部を左領域と右領域とに分けるように定義された中心線に対して、前記第１送信部及び前記第２送信部のうち一方は左方に配設され、他方は、右方に配設されることを特徴とする請求項１に記載の表示装置。
【請求項３】
前記第１送信部及び前記第２送信部は、前記中心線に対して対称に配設されることを特徴とする請求項２に記載の表示装置。
【請求項４】
前記表示部を囲む枠体を更に備え、
前記送信部は、前記枠体に取り付けられることを特徴とする請求項１乃至３いずれか１項に記載の表示装置。
【請求項５】
前記枠体は、前記表示部の下縁に沿って延びる下枠部を含み、
前記送信部は、前記下枠部に取り付けられることを特徴とする請求項４に記載の表示装置。
【請求項６】
前記枠体は、前記表示部の左縁に沿って延びる左枠部と、前記表示部の右縁に沿って延びる右枠部と、を含み、
前記第１送信部及び前記第２送信部のうち一方は前記左枠部に取り付けられ、他方は、前記右枠部に取り付けられることを特徴とする請求項４に記載の表示装置。
【請求項７】
前記枠体は、前記表示部の上縁に沿って延びる上枠部を含み、
前記送信部は、前記上枠部に取り付けられることを特徴とする請求項４に記載の表示装置。
【請求項８】
前記第１送信部及び前記第２送信部のうち少なくとも一方は、指向特性の異なる複数の発光素子を用いて形成されることを特徴とする請求項１乃至７いずれか１項に記載の表示装置。
【請求項９】
外部から送信された外部信号を受信する受信部を更に備え、
該受信部は、前記第１送信部と前記第２送信部との間に配設されることを特徴とする請求項５に記載の表示装置。
【請求項１０】
左眼で視聴される左眼用の映像と右眼で視聴される右眼用の映像とを含む立体映像を表示する表示装置と、
前記左眼用の映像を前記左眼で視聴させ、前記右眼用の映像を前記右眼で視聴させるように前記立体映像の視聴を補助する補助動作を行う眼鏡装置と、を備え、
前記表示装置は、前記左眼用の映像と前記右眼用の映像とを表示する表示部と、前記立体映像に同期した同期信号を送信する送信部と、を備え、
前記眼鏡装置は、前記同期信号に基づき、前記補助動作を実行し、
該送信部は、第１送信部と、該第１送信部から離間して配設された第２送信部と、を含むことを特徴とする映像視聴システム。
【発明の詳細な説明】
【技術分野】
【０００１】
本発明は、映像を表示する表示装置及び映像を視聴者に視聴させるための映像視聴システムに関する。より詳しくは、左眼で視聴される左眼用の映像と右眼で視聴される右眼用の映像とを切り替えて、立体的に知覚される映像を提供するとともに、左眼用の映像と右眼用の映像との切り替えに同期する同期信号を出力する表示装置及び当該表示装置を備える映像視聴システムに関する。
【背景技術】
【０００２】
立体的に知覚される映像を視聴者に提供するための様々な映像視聴システムが開発されている。典型的な映像視聴システムは、左眼で視聴される左眼用の映像（以下、Ｌ映像と称される）と右眼で視聴される右眼用の映像（以下、Ｒ映像と称される）とを時間的に切り替えて表示する表示装置と、Ｌ映像とＲ映像との切り替えに同期して、左眼前に配設された左シャッタと右眼前に配設された右シャッタを開閉させる眼鏡装置とを備える。左右のシャッタの開閉によって、眼鏡装置を着用した視聴者は、左眼のみでＬ映像を視聴し、右眼のみでＲ映像を視聴することができる。この結果、視聴者は、表示装置が表示する一連の映像を立体的に知覚する。
【０００３】
左眼のみによるＬ映像の視聴及び右眼のみによるＲ映像の視聴のために、表示装置と眼鏡装置とを同期させるための同期制御がなされる。典型的には、表示装置は、映像の表示に同期した同期信号を眼鏡装置に送信し、眼鏡装置は当該同期信号を受信する。
【０００４】
特許文献１は、同期信号を送信するための送信装置を開示する。特許文献１の開示によれば、送信装置は、表示装置の上部に設置される。
【先行技術文献】
【特許文献】
【０００５】
【特許文献１】特開平６−１７８３２５号公報
【発明の概要】
【発明が解決しようとする課題】
【０００６】
近年、比較的大きな表示面を備える表示装置が普及している。このような表示装置は、大きな映像を視聴者に視聴させることができる。
【０００７】
表示装置が大きな映像を表示する場合、表示装置から離れた位置に存在する視聴者でも映像を享受することができる。視聴者が表示装置から離れて映像を視聴するとき、上述の同期信号は、視聴者が着用する眼鏡装置に到達しないこともある。例えば、視聴者が表示装置から離れるにつれて、同期信号の通信を妨げる障害物の数も潜在的に増加する。
【０００８】
本発明は、同期信号の通信の信頼性を向上させ、好適な立体映像の視聴を視聴者に提供することができる表示装置及び映像視聴システムを提供することを目的とする。
【課題を解決するための手段】
【０００９】
本発明の一の局面に係る表示装置は、左眼で視聴される左眼用の映像と右眼で視聴される右眼用の映像とを含む立体映像を表示する表示装置であって、前記左眼用の映像と、前記右眼用の映像と、を表示する表示部と、前記立体映像に同期した同期信号を送信する送信部と、を備え、該送信部は、第１送信部と、該第１送信部から離間して配設された第２送信部と、を含むことを特徴とする。
【００１０】
上記構成によれば、表示部は、左眼で視聴される左眼用の映像と右眼で視聴される右眼用の映像とを含む立体映像を表示する。送信部は、立体映像に同期した同期信号を送信する。送信部は、第１送信部と、第１送信部から離間して配設された第２送信部と、を含むので、同期信号の送信範囲が広がり、同期信号の通信の信頼性が向上する。かくして、表示装置は、視聴者に、立体映像を好適に提供することができる。
【００１１】
上記構成において、前記表示部を左領域と右領域とに分けるように定義された中心線に対して、前記第１送信部及び前記第２送信部のうち一方は左方に配設され、他方は、右方に配設されることが好ましい。
【００１２】
上記構成によれば、表示部を左領域と右領域とに分けるように定義された中心線に対して、第１送信部及び第２送信部のうち一方は左方に配設され、他方は、右方に配設されるので、同期信号の送信範囲が水平方向に広がり、同期信号の通信の信頼性が向上する。かくして、表示装置は、視聴者に、立体映像を好適に提供することができる。
【００１３】
上記構成において、前記第１送信部及び前記第２送信部は、前記中心線に対して対称に配設されることが好ましい。
【００１４】
上記構成によれば、第１送信部及び第２送信部は、中心線に対して対称に配設されるので、中心線を中心に同期信号の送信範囲が水平方向に均等に広がる。同期信号の送信範囲の水平方向の不均衡はほとんど生じないので、同期信号の送信範囲は、視聴者が立体映像を視聴しやすい領域を網羅することができる。
【００１５】
上記構成において、前記表示部を囲む枠体を更に備え、前記送信部は、前記枠体に取り付けられることが好ましい。
【００１６】
上記構成によれば、送信部は、表示部を囲む枠体に取り付けられるので、表示装置の美観が向上する。
【００１７】
上記構成において、前記枠体は、前記表示部の下縁に沿って延びる下枠部を含み、前記送信部は、前記下枠部に取り付けられることが好ましい。
【００１８】
上記構成によれば、送信部は、表示部の下縁に沿って延びる下枠部に取り付けられるので、下枠部及び送信部が反射した光が視聴者に知覚されにくくなる。かくして、表示装置の美観が向上する。
【００１９】
上記構成において、前記枠体は、前記表示部の左縁に沿って延びる左枠部と、前記表示部の右縁に沿って延びる右枠部と、を含み、前記第１送信部及び前記第２送信部のうち一方は前記左枠部に取り付けられ、他方は、前記右枠部に取り付けられることが好ましい。
【００２０】
上記構成によれば、第１送信部及び第２送信部のうち一方は、表示部の左縁に沿って延びる左枠部に取り付けられ、他方は、表示部の右縁に沿って延びる右枠部に取り付けられる。したがって、水平方向に広がった比較的広い同期信号の送信範囲が設定される。
【００２１】
上記構成において、前記枠体は、前記表示部の上縁に沿って延びる上枠部を含み、前記送信部は、前記上枠部に取り付けられることが好ましい。
【００２２】
上記構成によれば、送信部は、表示部の上縁に沿って延びる上枠部に取り付けられるので、送信部からの同期信号は、視聴者と表示装置との間に存する障害物の影響を受けにくくなる。したがって、同期信号の通信の信頼性が向上する。かくして、表示装置は、視聴者に、立体映像を好適に提供することができる。
【００２３】
上記構成において、前記第１送信部及び前記第２送信部のうち少なくとも一方は、指向特性の異なる複数の発光素子を用いて形成されることが好ましい。
【００２４】
上記構成によれば、第１送信部及び第２送信部のうち少なくとも一方は、指向特性の異なる複数の発光素子を用いて形成されるので、同期信号の送信範囲は適切に設定される。
【００２５】
上記構成において、外部から送信された外部信号を受信する受信部を更に備え、該受信部は、前記第１送信部と前記第２送信部との間に配設されることが好ましい。
【００２６】
上記構成によれば、外部から送信された外部信号を受信する受信部は、第１送信部と第２送信部との間に配設される。第１送信部、受信部及び第２送信部は、下枠部に沿って配置されるので、表示装置の美観が向上する。
【００２７】
本発明の他の局面に係る映像視聴システムは、左眼で視聴される左眼用の映像と右眼で視聴される右眼用の映像とを含む立体映像を表示する表示装置と、前記左眼用の映像を前記左眼で視聴させ、前記右眼用の映像を前記右眼で視聴させるように前記立体映像の視聴を補助する補助動作を行う眼鏡装置と、を備え、前記表示装置は、前記左眼用の映像と前記右眼用の映像とを表示する表示部と、前記立体映像に同期した同期信号を送信する送信部と、を備え、前記眼鏡装置は、前記同期信号に基づき、前記補助動作を実行し、該送信部は、第１送信部と、該第１送信部から離間して配設された第２送信部と、を含むことを特徴とする。
【００２８】
上記構成によれば、表示部は、左眼で視聴される左眼用の映像と右眼で視聴される右眼用の映像とを含む立体映像を表示する。送信部は、立体映像に同期した同期信号を送信する。送信部は、第１送信部と、第１送信部から離間して配設された第２送信部と、を含むので、同期信号の送信範囲が広がる。したがって、同期信号は、眼鏡装置に送信されやすくなる。この結果、眼鏡装置は、同期信号に基づき、補助動作を安定的に行うことができ、視聴者は、好適な立体映像の視聴を享受することができる。
【発明の効果】
【００２９】
上述の如く、本発明に係る表示装置及び映像視聴システムは、同期信号の通信の信頼性を向上させ、好適な立体映像の視聴を視聴者に提供することができる。
【図面の簡単な説明】
【００３０】
【図１】第１実施形態に係る映像視聴システムを概略的に示す模式図である。
【図２】単一の送信部を備える映像システムを上から見た概略的な斜視図である。
【図３】図１に示される映像視聴システムを上から見た概略的な斜視図である。
【図４Ａ】図１に示される映像視聴システムの送信部として用いられる発光素子を示す斜視図である。
【図４Ｂ】図１に示される映像視聴システムの送信部として用いられる発光素子を示す斜視図である。
【図５Ａ】図４Ａに示される発光特性の放射強度の特性を概略的に示すグラフである。
【図５Ｂ】図４Ｂに示される発光特性の放射強度の特性を概略的に示すグラフである。
【図６】単一の送信部を備える映像システムを上から見た概略的な斜視図である。
【図７】図１に示される映像視聴システムの送信部として用いられる発光モジュールの概略的な斜視図である。
【図８】図１に示される映像視聴システムを上から見た概略的な斜視図である。
【図９】図１に示される映像視聴システムの送信部として用いられる発光モジュールの概略的な斜視図である。
【図１０】図１に示される映像視聴システムを上から見た概略的な斜視図である。
【図１１】第２実施形態に係る映像視聴システムを概略的に示す模式図である。
【図１２】第３実施形態に係る表示装置を概略的に示す模式図である。
【図１３】第２実施形態に係る映像視聴システムを概略的に示す模式図である。
【図１４】第３実施形態に係る映像視聴システムを概略的に示す模式図である。
【図１５】第４実施形態に係る表示装置を概略的に示す模式図である。
【図１６】第５実施形態に係る映像視聴システムを概略的に示す模式図である。
【発明を実施するための形態】
【００３１】
以下、本発明の一実施形態に係る表示装置及び映像視聴システムが添付の図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、単に本実施形態の原理を容易に理解させることを目的とするものであり、本発明はこれらに何ら限定されるものではない。
【００３２】
＜第１実施形態＞
（映像視聴システムの構成）
図１は、第１実施形態に係る映像視聴システムを概略的に示す模式図である。図１を用いて、映像視聴システムの概略的な構成が説明される。
【００３３】
映像視聴システム１００は、左眼で視聴されるように作成された左眼用の映像（以下、Ｌ映像と称される）と、右眼で視聴されるように作成された右眼用の映像（以下、Ｒ映像と称される）とを含む立体映像を表示する表示装置２００と、立体映像の視聴を補助する補助動作を行う眼鏡装置３００と、を備える。視聴者は、眼鏡装置３００を装着し、表示装置２００が時間的に切り替えて表示するＬ映像及びＲ映像を視聴すると、表示装置２００が表示する映像を立体的に知覚することができる。
【００３４】
（表示装置の構成）
表示装置２００は、Ｌ映像とＲ映像とを交互に表示する略矩形状の表示部２１０と、表示部２１０を囲む枠体２２０と、枠体２２０及び表示部２１０を支持する台座部２３０と、眼鏡装置３００に向けて同期信号を送信する送信部２４０と、を備える。
【００３５】
表示装置２００は、表示部２１０に映像を表示する。本実施形態において、Ｌ映像及びＲ映像は、時間的に交互に切り替えられて、表示部２１０に表示される。代替的に、Ｌ映像及びＲ映像は、一定数のフレームごとに切り替えられてもよい。
【００３６】
以下の説明において、表示部２１０には、立体映像が表示される。表示部２１０には、必要に応じて、立体映像に加えて、２次元映像が表示されてもよい。
【００３７】
枠体２２０は、略矩形状の表示部２１０の下縁に沿って延びる下枠部２１１と、表示部２１０の上縁に沿って延びる上枠部２１２と、表示部２１０の左縁に沿って延びる左枠部２１３と、表示部２１０の右縁に沿って延びる右枠部２１４と、を含む。枠体２２０は、表示部２１０を保護並びに支持する筐体の一部を形成してもよい。
【００３８】
台座部２３０は、枠体２２０によって支持並びに保護された表示部２１０を支持する。尚、表示部が室壁に直接取り付けられるならば、表示装置は台座部を備えなくともよい。
【００３９】
図１には、表示部２１０を左領域ＬＡと右領域ＲＡとに等分するように定義された中心線ＣＬが示されている。送信部２４０は、中心線ＣＬに対して左方に配設された左送信部２４１と、中心線ＣＬに対して右方に配設された右送信部２４２と、を含む。右送信部２４２は、左送信部２４１から所定距離だけ離間して配設される。尚、左送信部２４１と右送信部２４２との間の距離は、これらの特性（例えば、左送信部２４１／右送信部２４２の同期信号の送信範囲の大きさや形状）に応じて、適宜定められる。好ましくは、左送信部２４１及び右送信部２４２は、中心線ＣＬに対して、略対称に配設される。本実施形態において、左送信部２４１は、第１送信部及び第２送信部のうち一方として例示され、右送信部２４２は、他方として例示される。
【００４０】
上枠部２１２上に取り付けられた左送信部２４１及び右送信部２４２から同期信号が眼鏡装置３００に向けて送信される。送信部２４０は、立体映像の表示に同期して、同期信号を送信する。例えば、送信部２４０は、Ｌ映像及びＲ映像それぞれの表示の開始のタイミングに合わせて、同期信号を送信する。表示装置２００は、既知の手法に従って、同期信号を生成並びに出力してもよい。本実施形態において、送信部２４０は、赤外線信号を同期信号として送信する。代替的に、送信部は、眼鏡装置と通信可能な他の種類の信号を同期信号として送信してもよい。本実施形態において、送信部２４０から出力される同期信号は、表示装置２００と眼鏡装置３００との間の同期制御に用いられる。追加的に、送信部から出力される同期信号は、眼鏡装置以外の他の装置と表示装置との間の同期制御に用いられてもよい。
【００４１】
（眼鏡装置の構成）
一般的な視力矯正用の眼鏡と似た外観をなす眼鏡装置３００は、視聴者の左眼前に配設される左シャッタ３１０と、視聴者の右眼前に配設される右シャッタ３２０と、送信部２４０から送信された同期信号を受信する受信部３３０と、を備える。
【００４２】
左シャッタ３１０は、表示部２１０にＬ映像が表示されているときに開く。この結果、眼鏡装置３００を着用した視聴者の左眼へのＬ映像の入射光量が増大する。左シャッタ３１０は、表示部２１０にＲ映像が表示されているときに閉じる。この結果、眼鏡装置３００を着用した視聴者の左眼へのＲ映像の入射光量が低減する。本実施形態において、左眼への入射光量を増減させる光学素子として、シャッタ素子が用いられる。代替的に、左眼に向かって伝播する光を偏向させる光学素子や、左眼への光の特性を調整又は変更する他の光学素子が、左シャッタ３１０の代わりに用いられてもよい。
【００４３】
右シャッタ３２０は、表示部２１０にＲ映像が表示されているときに開く。この結果、眼鏡装置３００を着用した視聴者の右眼へのＲ映像の入射光量が増大する。右シャッタ３２０は、表示部２１０にＬ映像が表示されているときに閉じる。この結果、眼鏡装置３００を着用した視聴者の右眼へのＬ映像の入射光量が低減する。本実施形態において、右眼への入射光量を増減させる光学素子として、シャッタ素子が用いられる。代替的に、右眼に向かって伝播する光を偏向させる光学素子や、右眼への光の特性を調整又は変更する他の光学素子が、右シャッタ３２０の代わりに用いられてもよい。
【００４４】
左シャッタ３１０と右シャッタ３２０との間に配設された受信部３３０は、表示装置２００の送信部２４０から送信された同期信号を受信する。上述の左シャッタ３１０及び右シャッタ３２０の開閉は、受信部３３０が受信した同期信号に基づき制御される。同期信号の受信の結果、眼鏡装置３００は、視聴者に、左眼でＬ映像を視聴させ、右眼でＲ映像を視聴させる補助動作を実行することができる。眼鏡装置３００は、既知の手法に従って、同期信号を処理し、補助動作を行ってもよい。
【００４５】
（映像視聴システムの動作）
映像視聴システム１００は、表示装置２００と眼鏡装置３００との間の同期制御の下、視聴者に立体映像を視聴させる。表示装置２００の表示部２１０には、例えば、１２０Ｈｚのフレーム速度で、Ｌ映像とＲ映像とを交互に、或いは、一定間隔で切り替えて表示する。送信部２４０は、表示部２１０に表示されたＬ映像とＲ映像との間の切り替えに同期して、同期信号を眼鏡装置３００に送信する。
【００４６】
眼鏡装置３００の受信部３３０は、表示装置２００の送信部２４０から送信された同期信号を受信する。眼鏡装置３００が同期信号を受信すると、受信した同期信号に基づき、左シャッタ３１０と右シャッタ３２０とを制御する。上述の如く、左シャッタ３１０及び右シャッタ３２０は、上述の如く、開閉し、視聴者の左眼及び右眼へ入射する光の量（或いは、光の特性）を調整する。
【００４７】
表示装置２００の送信部２４０は、例えば、表示部２１０がＲ映像からＬ映像への切り替えを行うとき、Ｌ映像が表示部２１０に表示されることを示す同期信号を送信する。当該同期信号を受信した眼鏡装置３００は、左シャッタ３１０を開く一方で、右シャッタ３２０を閉じる。かくして、視聴者の左眼へ入射する光の量が増大する一方で、右眼へ入射する光の量は低減する。この結果、視聴者は、表示部２１０に表示されたＬ映像を、左眼で視聴し、右眼では視聴しない。
【００４８】
表示装置２００の送信部２４０は、例えば、表示部２１０がＬ映像からＲ映像への切り替えを行うとき、Ｒ映像が表示部２１０に表示されることを示す同期信号を送信する。当該同期信号を受信した眼鏡装置３００は、右シャッタ３２０を開く一方で、左シャッタ３１０を閉じる。かくして、視聴者の右眼へ入射する光の量が増大する一方で、左眼へ入射する光の量は低減する。この結果、視聴者は、表示部２１０に表示されたＲ映像を、右眼で視聴し、左眼では視聴しない。
【００４９】
本実施形態において、表示部２１０に表示されるＬ映像及びＲ映像は、視聴者の視差の分だけ異なる内容を表す（例えば、Ｌ映像とＲ映像とに共通して現れるオブジェクトの位置が視聴者の視差の分だけ異なる位置に描画される）。このとき、視聴者は、表示部２１０の表示される映像に視差が存在すると知覚する。この結果、表示部２１０が略平面の表示面を有する表示デバイスであっても、視聴者は、表示部２１０が表示する映像を立体的に知覚する。例えば、視聴者は、映像に表されるオブジェクトが、表示部２１０の平坦な表示面に対して、飛び出したように、或いは、引っ込んだように知覚する。
【００５０】
（送信範囲）
上述の映像視聴システム１００において、表示装置２００の映像の切り替え（Ｌ映像とＲ映像との間の表示切り替え）と、左シャッタ３１０／右シャッタ３２０との間の同期は、視聴者に立体映像を提供する上で非常に重要である。したがって、表示装置２００と眼鏡装置３００との間での同期信号の通信の信頼性は、できる限り、向上されることが好ましい。
【００５１】
図２は、単数の送信部を備える映像視聴システムを上方から見た概略的な斜視図である。図３は、本実施形態に従う映像視聴システム１００を上方から見た概略的な斜視図である。図２及び図３を用いて、本実施形態に従う映像視聴システム１００の同期信号の通信の優位性が説明される。
【００５２】
図２に示される映像視聴システム９００は、表示装置９１０と眼鏡装置９２０とを備える。図２において、眼鏡装置９２０を着用した３人の視聴者ＶＷ１，ＶＷ２，ＶＷ３が示されている。
【００５３】
表示装置９１０は、Ｌ映像とＲ映像とを交互に表示する略矩形状の表示部９１１と、表示部９１１を囲む枠体９１２と、枠体９１２及び表示部９１１を支持する台座部９１３と、同期信号を送信する１つの送信部９１４と、を備える。
【００５４】
図２には、表示部９１１を左領域ＬＡと右領域ＲＡとに等分するように定義された中心線ＣＬが示されている。枠体９１２上に取り付けられた送信部９１４は、鉛直に延びる中心線ＣＬ上に配設される。
【００５５】
図２に示される略扇形状のハッチング領域は、送信部９１４からの同期信号の送信範囲ＴＲを意味する。送信範囲ＴＲは、送信部９１４から扇形状に広がる。
【００５６】
図２に示される如く、視聴者ＶＷ１は、送信範囲ＴＲ内に存在する。したがって、視聴者ＶＷ１が着用する眼鏡装置９２０は、送信部９１４から送信された同期信号を適切に受信することができる。この結果、視聴者ＶＷ１は、表示部９１１に表示される立体映像を好適に視聴することができる。
【００５７】
視聴者ＶＷ２は、送信範囲ＴＲから外れた位置に存在する。送信範囲ＴＲの右側に位置する視聴者ＶＷ２が着用する眼鏡装置９２０は、同期信号（赤外線）を出力する送信部９１４の指向特性によって定められる送信範囲ＴＲ外に存在するので、表示装置９１０が送信した同期信号を正常に受信しにくくなる。したがって、視聴者ＶＷ２は、表示部９１１が表示する立体映像を適切に視聴しにくくなる。
【００５８】
視聴者ＶＷ３は、同期信号（赤外線）を出力する送信部９１４の指向特性によって定められる指向範囲内に存在する。しかしながら、視聴者ＶＷ３は、送信部９１４から遠くに存在しているため、送信範囲ＴＲから外れている。この結果、視聴者ＶＷ３が着用する眼鏡装置９２０は、比較的弱い強度の信号を受信しやすくなる。かくして、視聴者ＶＷ３は、表示部９１１が表示する立体映像を適切に視聴しにくくなる。
【００５９】
図２に示される映像視聴システム９００は、上述の送信範囲ＴＲの狭さに加えて、障害物による同期信号の遮断の問題を内包する。例えば、送信部９１４と視聴者ＶＷ１との間を他の人が横切るならば、同期信号の通信は遮断されやすくなる。
【００６０】
図３に示される如く、本実施形態に従う映像視聴システム１００は、左送信部２４１及び右送信部２４２を含む表示装置２００を備える。図３には、略扇形状の２つのハッチング領域が示される。左送信部２４１から扇形状に広がるハッチング領域は、左送信部２４１からの同期信号の送信範囲ＴＲ１を示す。右送信部２４２から扇形状に広がるハッチング領域は、右送信部２４２からの同期信号の送信範囲ＴＲ２を示す。
【００６１】
本実施形態において、左送信部２４１及び右送信部２４２は、中心線ＣＬに対して左右にそれぞれ配設されるので、送信部２４０から送信される同期信号の送信範囲（送信範囲ＴＲ１，ＴＲ２）は、図２に示される送信部９１４からの送信範囲ＴＲと比べて広い。本実施形態において、中心線ＣＬに対して左右に左送信部２４１及び右送信部２４２が配設されるので、左送信部２４１及び右送信部２４２それぞれの指向特性に起因する水平方向の送信範囲の制限が緩和される
【００６２】
図３は、図２と同様に、視聴者ＶＷ１，ＶＷ２，ＶＷ３を示す。図３中の視聴者ＶＷ１，ＶＷ２，ＶＷ３の位置は、図２に示される視聴者ＶＷ１，ＶＷ２，ＶＷ３の位置と同様である。
【００６３】
図２に関連して説明された如く、視聴者ＶＷ２は、表示装置９１０が表示する立体映像を適切に視聴することはできない。しかしながら、上述の如く、左送信部２４１及び右送信部２４２によって、水平方向の送信範囲の制限が緩和されるので、図３に示される視聴者ＶＷ２は、送信範囲ＴＲ２内に存在する。したがって、視聴者ＶＷ２が着用する眼鏡装置３００は、右送信部２４２からの同期信号を適切に受信することができる。かくして、複数の送信部（左送信部２４１及び右送信部２４２）によって、同期信号の送信範囲（送信範囲ＴＲ１，ＴＲ２）が好適に拡張される。
【００６４】
図３に示される如く、視聴者ＶＷ１は、送信範囲ＴＲ１，ＴＲ２の重畳領域に存する。したがって、左送信部２４１と右送信部２４２のうち一方と視聴者ＶＷ１との間を他の人が横切ったとしても、視聴者ＶＷ１が着用する眼鏡装置３００は、左送信部２４１と右送信部２４２のうち他方から送信された同期信号を受信することができる。したがって、視聴者ＶＷ１が着用する眼鏡装置３００は、立体映像の視聴を補助するための適切な補助動作を継続することができる。本実施形態において、左送信部２４１及び右送信部２４２が同期信号の送信に用いられている。代替的に、２を超える数の送信部が同期信号の送信に用いられてもよい。
【００６５】
（送信部）
図４Ａ及び図４Ｂは、左送信部２４１及び右送信部２４２に用いられる発光素子の概略的斜視図である。図４Ａ及び図４Ｂを用いて、送信部２４０が説明される。
【００６６】
一般的に、発光素子は、図４Ａに示される型式と図４Ｂに示される型式とに大別される。尚、図４Ａ及び図４Ｂに示される発光素子はともに、赤外線を発光する。
【００６７】
図４Ａに示される発光素子２５０は、本体部２５１と、本体部２５１の底面から延びる一対の端子２５２と、を備える。端子２５２は、回路基板に形成された貫通穴に挿通される（スルーホール実装タイプ）。図４Ｂに示される発光素子２６０は、回路基板の表面に直接的に実装される（表面実装タイプ）。
【００６８】
図４Ａに示される発光素子２５０の本体部２５１は、略砲弾形状のカバー２５３と、赤外線を発光する発光部（図示せず）と、カバー２５３及び発光部を支持する基台部２５４と、を含む。発光部は、カバー２５３によって覆われる。
【００６９】
図４Ｂに示される発光素子２６０は、基台部２６４と、赤外線を発光する発光部２６５と、を含む。基台部２６４に固定された発光部２６５は、露出している。
【００７０】
図５Ａは、図４Ａに示される発光素子２５０の指向特性を例示するグラフである。図５Ｂは、図４Ｂに示される発光素子２６０の指向特性を示すグラフである。図４Ａ乃至図５Ｂを用いて、発光素子２５０，２６０の指向特性が説明される。
【００７１】
図４Ａに示される発光素子２５０の放射方向は、一方向に偏っている。したがって、発光素子２５０は、比較的狭い指向特性を有する。発光素子２５０の指向特性が狭い一方で、発光素子２５０の前方における赤外線の放射強度は大きくなる。
【００７２】
図４Ｂに示される発光素子２６０の発光部２６５から赤外線は直接的に放射される。この結果、発光素子２６０の前方における赤外線の放射強度は比較的小さくなる。その一方で、発光素子２６０は、図５Ｂに示される如く、比較的広い指向特性を有する。
【００７３】
図６は、発光素子２５０を用いた映像視聴システム９００を上方から見た概略的な斜視図である。図２、図４Ａ、図５Ａ及び図６を用いて、発光素子の指向特性に基づく送信範囲の調整が説明される。
【００７４】
図６に示される送信部９１４には、図２に示される送信部９１４よりも狭い指向特性を有する発光素子２５０が用いられる。この結果、図６に示される送信範囲ＴＲは、図２に示される送信範囲ＴＲよりも狭く、且つ、送信部９１４から遠くまで延びる。
【００７５】
図６は、図２と同様に、視聴者ＶＷ１，ＶＷ２，ＶＷ３を示す。図６中の視聴者ＶＷ１，ＶＷ２，ＶＷ３の位置は、図２に示される視聴者ＶＷ１，ＶＷ２，ＶＷ３の位置と同様である。
【００７６】
図２に示される視聴者ＶＷ３は、送信部９１４からの送信範囲ＴＲの外に存在し、視聴者ＶＷ３が装着する眼鏡装置９２０は同期信号を受信できない。一方で、送信部９１４に発光素子２５０が用いられると、送信範囲ＴＲが正面方向に延び、視聴者ＶＷ３は、送信範囲ＴＲ内に入り、視聴者ＶＷ３が装着する眼鏡装置９２０は同期信号を適切に受信することができる。
【００７７】
視聴者ＶＷ３は、視聴者ＶＷ１よりも表示装置９１０から離れている。上述の如く、指向特性が狭く、且つ、正面方向の放射強度が強い発光素子２５０が送信部９１４に用いられる結果、表示装置９１０から離れた視聴者ＶＷ３でも表示装置９１０が表示する立体映像を適切に視聴することができる。
【００７８】
一般的に、大型の表示部（表示画面）を有する表示装置ほど、視聴者は表示装置から離れて映像を視聴する。上述の発光素子の指向特性による送信範囲の調整原理に従うと、視聴者は、眼鏡装置の安定的な補助動作の下、大型の表示部に表示される映像を視聴することができる。
【００７９】
上述の発光素子の指向特性による送信範囲の調整原理は、本実施形態の表示装置２００及び映像視聴システム１００の送信部２４０に同様に適用可能である（図１、図４Ａ及び図４Ｂ参照）。指向特性が狭く、且つ、正面方向の放射強度が強い発光素子２５０を左送信部２４１及び／又は右送信部２４２に用いて、表示装置２００から離れた位置に存在する視聴者が着用する眼鏡装置３００に同期信号を到達されてもよい。代替的に、指向特性が広く、且つ、正面方向の放射強度が弱い発光素子２６０を左送信部２４１及び／又は右送信部２４２に用いて、送信範囲が水平方向に拡げられてもよい。
【００８０】
図７は、送信部２４０に用いられる発光モジュールの概略的な斜視図である。図１、図４Ａ乃至図５Ｂ並びに図７を用いて、発光モジュールが説明される。
【００８１】
発光モジュール２７０は、上述の発光素子２５０，２６０に加えて、回路基板２７１を備える。回路基板２７１には、発光素子２５０，２６０がそれぞれ取り付けられる。回路基板２７１は、発光素子２５０，２６０に加えて、電源や制御ＩＣ（図示せず）との接続のための回路を含む。
【００８２】
図４Ａ及び図５Ａに関連して説明された如く、発光素子２５０の指向特性は狭い。また、図４Ｂ及び図５Ｂに関連して説明された如く、発光素子２６０の指向特性は広い。
【００８３】
図７に示される如く、発光モジュール２７０は、狭い指向特性（正面方向の放射強度が大きい）の発光素子２５０及び狭い指向特性（正面方向の放射強度が小さい）の発光素子２６０の両方を備える。
【００８４】
図８は、本実施形態に従う映像視聴システム１００を上方から見た斜視図である。図３、図７及び図８を用いて、発光モジュール２７０を用いて映像視聴システム１００が説明される。
【００８５】
表示装置２００の左送信部２４１及び右送信部２４２には、発光モジュール２７０が用いられる。上述の如く、発光モジュール２７０は、狭い指向特性（正面方向の放射強度が大きい）の発光素子２５０及び狭い指向特性（正面方向の放射強度が小さい）の発光素子２６０の両方を備える。したがって、左送信部２４１から延びる送信範囲ＴＲ１及び右送信部２４２から延びる送信範囲ＴＲ２はともに、表示装置２００の付近で水平方向に広がる。また、送信範囲ＴＲ１及びＴＲ２は、表示装置２００の正面方向に長く延びる。図２と図８とを比較すると、図８に示される送信範囲ＴＲ１，ＴＲ２は、図２に示される送信範囲ＴＲと比べて、水平方向及び正面方向に広がっていることが分かる。
【００８６】
図８に示される視聴者ＶＷ１，ＶＷ２，ＶＷ３の位置は、図２に示される位置と同様である。左送信部２４１及び右送信部２４２に発光モジュール２７０が用いられると、全ての視聴者ＶＷ１，ＶＷ２，ＶＷ３は、送信範囲ＴＲ１及び／又は送信範囲ＴＲ２内に存在することとなる。したがって、視聴者ＶＷ１，ＶＷ２，ＶＷ３が着用する眼鏡装置３００は、送信部２４０からの同期信号を適切に受信することができる。
【００８７】
上述の如く、送信部２４０に用いられた発光モジュール２７０は、狭い指向特性及び短い同期信号の到達距離を適切に改善することができる。
【００８８】
図９は、送信部２４０に用いられる他の発光モジュールの概略的な斜視図である。図１、図４Ｂ、図５Ｂ及び図９を用いて、発光モジュールが説明される。
【００８９】
発光モジュール２８０は、上述の発光素子２６０に加えて、回路基板２８１を備える。回路基板２８１には、３つの発光素子２６０が連設される。回路基板２８１は、３つの発光素子２６０に加えて、電源や制御ＩＣ（図示せず）との接続のための回路を含む。
【００９０】
図４Ｂ及び図５Ｂに関連して説明された如く、３つの発光素子２６０の指向特性は広い（正面方向の放射強度が小さい）。
【００９１】
図１０は、本実施形態に従う映像視聴システム１００を上方から見た斜視図である。図２、図３、図８乃至図１０を用いて、発光モジュール２８０を用いて映像視聴システム１００が説明される。
【００９２】
表示装置２００の左送信部２４１及び右送信部２４２には、発光モジュール２８０が用いられる。図９に関連して説明された発光モジュール２８０は、図８に関連して説明された発光モジュール２７０よりも多い発光素子を備える。発光モジュール２８０は、発光素子を増加させ、送信される同期信号の強度を強める。この結果、同期信号の到達距離が長くなる。
【００９３】
図１０には、左送信部２４１から延びる略扇形形状の送信範囲ＴＲ１及び右送信部２４２から延びる略扇形形状の送信範囲ＴＲ２が示される。図２と図１０とを比較すると、図１０に示される送信範囲ＴＲ１，ＴＲ２は、図２に示される送信範囲ＴＲと比べて、水平方向及び正面方向に広がっていることが分かる。
【００９４】
図１０に示される視聴者ＶＷ１，ＶＷ２，ＶＷ３の位置は、図２に示される位置と同様である。左送信部２４１及び右送信部２４２に発光モジュール２８０が用いられると、全ての視聴者ＶＷ１，ＶＷ２，ＶＷ３は、送信範囲ＴＲ１及び／又は送信範囲ＴＲ２内に存在することとなる。したがって、視聴者ＶＷ１，ＶＷ２，ＶＷ３が着用する眼鏡装置３００は、送信部２４０からの同期信号を適切に受信することができる。
【００９５】
上述の如く、送信部２４０に用いられた発光モジュール２８０は、図８に関連して説明された発光モジュール２７０と同様に、狭い指向特性及び短い同期信号の到達距離を適切に改善することができる。
【００９６】
＜第２実施形態＞
図１１は、第２実施形態に係る映像視聴システムを概略的に示す模式図である。図１１において、第１実施形態に係る映像視聴システム１００と同様の要素には、同様の符号が付されている。図１１を用いて、第２実施形態に係る映像視聴システムと第１実施形態に係る映像視聴システム１００との相違が説明される。第１実施形態と同様の特徴に対しては、第１実施形態に関連する説明が援用される。
【００９７】
映像視聴システム１００Ａは、第１実施形態と同様の眼鏡装置３００に加えて、立体映像を表示する表示装置２００Ａを備える。視聴者は、眼鏡装置３００を装着し、表示装置２００Ａが時間的に切り替えて表示するＬ映像及びＲ映像を視聴すると、表示装置２００Ａが表示する映像を立体的に知覚することができる。
【００９８】
表示装置２００Ａは、第１実施形態と同様の表示部２１０及び台座部２３０に加えて、表示部２１０を囲む枠体２２０Ａと、眼鏡装置３００に向けて同期信号を送信する送信部２４０Ａと、を備える。
【００９９】
枠体２２０Ａは、第１実施形態と同様の下枠部２１１、左枠部２１３及び右枠部２１４に加えて、表示部２１０の上縁に沿う上枠部２１２Ａを含む。枠体２２０Ａは、表示部２１０を保護並びに支持する筐体の一部を形成してもよい。
【０１００】
図１１には、表示部２１０を左領域ＬＡと右領域ＲＡとに等分するように定義された中心線ＣＬが示されている。送信部２４０Ａは、中心線ＣＬに対して左方に配設された左送信部２４１Ａと、中心線ＣＬに対して右方に配設された右送信部２４２Ａと、を含む。右送信部２４２Ａは、左送信部２４１Ａから所定距離だけ離間して配設される。尚、左送信部２４１Ａと右送信部２４２Ａとの間の距離は、これらの特性（例えば、左送信部２４１Ａ／右送信部２４２Ａの同期信号の送信範囲の大きさや形状）に応じて、適宜定められる。好ましくは、左送信部２４１Ａ及び右送信部２４２Ａは、中心線ＣＬに対して、略対称に配設される。本実施形態において、左送信部２４１Ａは、第１送信部及び第２送信部のうち一方として例示され、右送信部２４２Ａは、他方として例示される。
【０１０１】
第１実施形態と異なり、左送信部２４１Ａ及び右送信部２４２Ａは、上枠部２１２Ａ内に埋設される。かくして、表示装置２００の上縁は略平坦となり、表示装置２００の美観が向上する。
【０１０２】
上枠部２１２Ａに埋設された左送信部２４１Ａ及び右送信部２４２Ａから同期信号が眼鏡装置３００に向けて送信される。送信部２４０Ａは、立体映像の表示に同期して、同期信号を送信する。例えば、送信部２４０Ａは、Ｌ映像及びＲ映像それぞれの表示の開始のタイミングに合わせて、同期信号を送信する。表示装置２００Ａは、既知の手法に従って、同期信号を生成並びに出力してもよい。本実施形態において、送信部２４０Ａは、赤外線信号を同期信号として送信する。代替的に、送信部は、眼鏡装置と通信可能な他の種類の信号を同期信号として送信してもよい。本実施形態において、送信部２４０Ａから出力される同期信号は、表示装置２００Ａと眼鏡装置３００との間の同期制御に用いられる。追加的に、送信部から出力される同期信号は、眼鏡装置以外の他の装置と表示装置との間の同期制御に用いられてもよい。
【０１０３】
＜第３実施形態＞
図１２は、第３実施形態に従う表示装置の概略的な斜視図である。図１２を用いて、第３実施形態に従う表示装置が説明される。図１２において、第１実施形態に係る映像視聴システム１００と同様の要素には、同様の符号が付されている。図７、図９及び図１２を用いて、第３実施形態に係る映像視聴システムと第１実施形態に係る映像視聴システム１００との相違が説明される。第１実施形態と同様の特徴に対しては、第１実施形態に関連する説明が援用される。
【０１０４】
第３実施形態に従う表示装置２００Ｂは、第１実施形態と同様の表示部２１０に加えて、表示部２１０を囲む枠体２２０Ｂ及び同期信号を送信する送信部２４０Ｂを備える。枠体２２０Ｂは、第１実施形態と同様の上枠部２１２、左枠部２１３及び右枠部２１４に加えて、表示部２１０の下縁に沿う下枠部２１１Ｂを含む。枠体２２０Ｂは、表示部２１０を保護並びに支持する筐体の一部を形成してもよい。
【０１０５】
図１２には、表示部２１０を左領域ＬＡと右領域ＲＡとに等分するように定義された中心線ＣＬが示されている。送信部２４０Ｂは、中心線ＣＬに対して左方に配設された左送信部２４１Ｂと、中心線ＣＬに対して右方に配設された右送信部２４２Ｂと、を含む。右送信部２４２Ｂは、左送信部２４１Ｂから所定距離だけ離間して配設される。尚、左送信部２４１Ｂと右送信部２４２Ｂとの間の距離は、これらの特性（例えば、左送信部２４１Ｂ／右送信部２４２Ｂの同期信号の送信範囲の大きさや形状）に応じて、適宜定められる。好ましくは、左送信部２４１Ｂ及び右送信部２４２Ｂは、中心線ＣＬに対して、略対称に配設される。本実施形態において、左送信部２４１Ｂは、第１送信部及び第２送信部のうち一方として例示され、右送信部２４２Ｂは、他方として例示される。
【０１０６】
本実施形態において、左送信部２４１Ｂ及び右送信部２４２Ｂはともに、下枠部２１１Ｂに埋設される。左送信部２４１Ｂ及び右送信部２４２Ｂは、図７に関連して説明された発光モジュール２７０と、発光モジュール２７０を覆うカバー２９０をそれぞれ備える。カバー２９０は、視聴者から発光モジュール２７０を隠す。図１２において、左送信部２４１Ｂのカバー２９０は示されていない。また、右送信部２４２Ｂの発光モジュール２７０は、カバー２９０によって覆われ、図１２には示されていない。本実施形態において、左送信部２４１Ｂ及び右送信部２４２Ｂに発光モジュール２７０が用いられる。代替的に、左送信部２４１Ｂ及び右送信部２４２Ｂに、図９に関連して説明された発光モジュール２８０が用いられてもよい。
【０１０７】
カバー２９０は、好ましくは、下枠部２１１Ｂ（枠体２２０Ｂ）と同色或いは色相の差異が少ない色で着色される。この結果、視聴者は、送信部２４０Ｂが枠体２２０Ｂに一体化されているように、送信部２４０Ｂを認識する。かくして、表示装置２００Ｂの美観が向上する。
【０１０８】
カバー２９０は、下枠部２１１Ｂに埋設された発光モジュール２７０が発光した赤外線を所定の透過率で透過させる材料から形成される。この結果、少なくとも赤外線の波長を有する光は、表示装置２００Ｂの外に出力される。赤外線に対する透過性を有するカバー２９０は、例えば、アクリル樹脂やメタクリル樹脂といった樹脂から形成されてもよい。カバー２９０が、アクリル樹脂やメタクリル樹脂といった樹脂から成型されるならば、カバー２９０は、外部からの光を反射する性質を有することとなる。
【０１０９】
図１３は、第２実施形態に関連して説明された映像視聴システム１００Ａを概略的に示す模式図である。図１４は、第３実施形態に従う映像視聴システム１００Ｂを概略的に示す模式図である。図１３及び図１４を用いて、送信部の位置が表示装置の美観に与える影響が説明される。
【０１１０】
第２実施形態に関連して説明されたように、表示装置２００Ａの送信部２４０Ａは、枠体２２０Ａの上枠部２１２Ａに埋設される。送信部２４０Ａは、第３実施形態の送信部２４０Ｂと同様に、カバー２９０を備えてもよい。
【０１１１】
一般的に、室内照明といった光源ＬＳは、映像視聴システム１００Ａ，１００Ｂが配設される空間の上部に設置される。したがって、光源ＬＳが発した光の一部は、送信部２４０Ａに伝播する。送信部２４０Ａのカバー２９０は、光源ＬＳからの光を反射する。視聴者ＶＷは、カバー２９０からの反射光を知覚する。
【０１１２】
枠体２２０Ａ，２２０Ｂは、カバー２９０と異なり、赤外線を透過させる必要がないので、典型的には、枠体２２０Ａ，２２０Ｂは、カバー２９０とは異なる材料から形成される。この結果、カバー２９０は、しばしば、枠体２２０Ａ，２２０Ｂとは異なる反射率を有することとなる。
【０１１３】
図１３に関連して説明された如く、カバー２９０からの反射光が視聴者ＶＷに知覚されるならば、カバー２９０と上枠部２１２Ａとの間の反射率の差異は、送信部２４０Ａと上枠部２１２Ａとの境界として、視聴者ＶＷに認識される。この結果、表示装置２００Ａの設計上の意匠とは異なる意匠が視聴者ＶＷに認識されることとなる。
【０１１４】
上述の反射光に関連する課題は、光源ＬＳ、送信部２４０Ａ及び視聴者ＶＷの順での鉛直方向の配列に起因する。
【０１１５】
上述の如く、第３実施形態に従う映像視聴システム１００Ｂの送信部２４０Ｂは、下枠部２１１Ｂに取り付けられる。したがって、光源ＬＳ、視聴者ＶＷ及び送信部２４０Ｂは、上方から鉛直方向に順に配列されることとなる。この結果、送信部２４０Ｂのカバー２９０が光源ＬＳからの光を反射しても、反射光は視聴者ＶＷに知覚されにくくなる。
【０１１６】
上述の如く、反射光が視聴者ＶＷに知覚されにくいならば、視聴者は、下枠部２１１Ｂとカバー２９０との識別をしにくくなる。かくして、視聴者は、下枠部２１１Ｂに組み込まれた送信部２４０Ｂを知覚しにくくなる。この結果、表示装置２００Ｂの美観が一層向上する。
【０１１７】
上述の一連の実施形態において、左送信部２４１，２４１Ａ，２４１Ｂ及び右送信部２４２，２４２Ａ，２４２Ｂは、中心線ＣＬに対して対称に配設される。この結果、送信範囲も中心線ＣＬに対して対称となり、視聴者の利便性が向上する。
【０１１８】
＜第４実施形態＞
図１５は、第４実施形態に従う表示装置の概略的な斜視図である。図１５を用いて、第４実施形態に従う表示装置が説明される。図１５において、第３実施形態に係る映像視聴システム１００Ｂと同様の要素には、同様の符号が付されている。図１５を用いて、第４実施形態に係る映像視聴システムと第３実施形態に係る映像視聴システム１００Ｂとの相違が説明される。第３実施形態と同様の特徴に対しては、第３実施形態に関連する説明が援用される。
【０１１９】
第４実施形態に従う表示装置２００Ｃは、第３実施形態と同様の表示部２１０及び送信部２４０Ｂに加えて、枠体２２０Ｃ及び外部信号（例えば、表示装置２００Ｃを制御するためのリモートコントローラ（図示せず）からの制御信号）を受信するための受信部４１０を備える。
【０１２０】
枠体２２０Ｃは、第３実施形態と同様の上枠部２１２、左枠部２１３及び右枠部２１４に加えて、表示部２１０の下縁に沿う下枠部２１１Ｃを含む。枠体２２０Ｃは、表示部２１０を保護並びに支持する筐体の一部を形成してもよい。
【０１２１】
受信部４１０は、例えば、リモートコントローラから送信される制御信号（赤外線）を受信する。表示装置２００Ｃは、制御信号が含む制御情報に応じて、視聴者が望む動作（例えば、チャンネルや音量の変更といった様々な動作）を行う。受信部４１０は、リモートコントローラから送信される信号を受信する受信素子（図示せず）と、受信素子を覆うカバー４１１とを含む。受信部４１０のカバー４１１は、例えば、送信部２４０Ｂのカバーと同様に赤外線を透過することができる材料から形成される。
【０１２２】
第３実施形態に関連して説明された反射光の観点から、受信部４１０は、好ましくは、枠体２２０の下枠部２１１Ｃに取り付けられる。受信部４１０は、更に好ましくは、左送信部２４１Ｂと右送信部２４２Ｂとの間に配設される。
【０１２３】
図１５には、表示部２１０を左領域ＬＡと右領域ＲＡとに等分するように定義された中心線ＣＬが示されている。本実施形態において、受信部４１０は中心線ＣＬ上に配設されている。この結果、受信部４１０がリモートコントローラからの信号を受信することができる受信範囲は、中心線ＣＬに対して対称に広がる。この結果、視聴者の利便性が向上する。
【０１２４】
＜第５実施形態＞
図１６は、第５実施形態に係る映像視聴システムを概略的に示す模式図である。図１６において、第３実施形態に係る映像視聴システム１００Ｂと同様の要素には、同様の符号が付されている。図７，図９及び図１６を用いて、第５実施形態に係る映像視聴システムと第３実施形態に係る映像視聴システム１００Ｂとの相違が説明される。第１実施形態及び／又は第３実施形態と同様の特徴に対しては、１実施形態及び／又は第３実施形態に関連する説明が援用される。
【０１２５】
映像視聴システム１００Ｄは、第１実施形態と同様の眼鏡装置３００に加えて、立体映像を表示する表示装置２００Ｄを備える。視聴者は、眼鏡装置３００を装着し、表示装置２００Ｄが時間的に切り替えて表示するＬ映像及びＲ映像を視聴すると、表示装置２００Ｄが表示する映像を立体的に知覚することができる。
【０１２６】
表示装置２００Ｄは、第１実施形態と同様の表示部２１０及び台座部２３０に加えて、表示部２１０を囲む枠体２２０Ｄと、眼鏡装置３００に向けて同期信号を送信する送信部２４０Ｄと、を備える。
【０１２７】
枠体２２０Ｄは、第１実施形態と同様の下枠部２１１及び上枠部２１２に加えて、表示部２１０の左縁に沿う左枠部２１３Ｄと、表示部２１０の右縁に沿う右枠部２１４Ｄと、を含む。枠体２２０Ｄは、表示部２１０を保護並びに支持する筐体の一部を形成してもよい。
【０１２８】
送信部２４０Ｄは、左枠部２１３Ｄに埋設される左送信部２４１Ｄと、右枠部２１４Ｄに埋設される右送信部２４２Ｄと、を含む。左送信部２４１Ｄ及び右送信部２４２Ｄは、第３実施形態に関連して説明された左送信部２４１Ｂ及び右送信部２４２Ｂと同様に、図７に関連して説明された発光モジュール２７０（或いは、図９に関連して説明された発光モジュール２８０）と、発光モジュール２７０を覆うカバー２９０と、をそれぞれ含む。尚、図１６中、発光モジュール２７０は、カバー２９０によって覆われ、示されていない。
【０１２９】
図１６には、視聴者ＶＷの眼の高さ（設計上、想定される眼の高さ）に相当する位置において水平方向に延びる直線ＨＬが示されている。送信部２４０Ｄは、好ましくは、直線ＨＬより下方に配設される。この結果、光源ＬＳ、視聴者ＶＷ及び送信部２４０Ｄは、上方から鉛直方向に順に配列されることとなる。
【０１３０】
上述の一連の実施形態において、表示装置は、２つの送信部（左送信部２４１，２４１Ａ，２４１Ｂ，２４１Ｄ：右送信部２４２，２４２Ａ，２４２Ｂ，２４２Ｄ）を備える。代替的に、表示装置は、２を超える数の送信部を備えてもよい。多くの送信部を備える表示装置ほど、同期信号の送信範囲は広くなる。
【０１３１】
上述の一連の実施形態において、送信部２４０，２４０Ａ，２４０Ｂ，２４０Ｄは、赤外線を同期信号として出力する。代替的に、送信部は、赤外線以外の不可視光線を映像視聴システムに用いられる同期信号として出力してもよい。
【産業上の利用可能性】
【０１３２】
本発明は、映像と同期した同期信号を眼鏡装置へ送信する送信部を備える表示装置及び映像視聴システムに好適に利用される。
【符号の説明】
【０１３３】
１００，１００Ａ，１００Ｂ，１００Ｄ・・・・・・・・映像視聴システム
２００，２００Ａ，２００Ｂ，２００Ｃ，２００Ｄ・・・表示装置
２１０・・・・・・・・・・・・・・・・・・・・・・・表示部
２１１，２１１Ｂ，２１１Ｃ・・・・・・・・・・・・・下枠部
２１２，２１２Ａ・・・・・・・・・・・・・・・・・・上枠部
２１３，２１３Ｄ・・・・・・・・・・・・・・・・・・左枠部
２１４，２１４Ｄ・・・・・・・・・・・・・・・・・・右枠部
２２０，２２０Ａ，２２０Ｂ，２２０Ｃ，２２０Ｄ・・・枠体
２４０，２４０Ａ，２４０Ｂ，２４０Ｄ・・・・・・・・送信部
２４１，２４１Ａ，２４１Ｂ，２４１Ｄ・・・・・・・・左送信部
２４２，２４２Ａ，２４２Ｂ，２４２Ｄ・・・・・・・・右送信部
２５０，２６０・・・・・・・・・・・・・・・・・・・発光素子
３００・・・・・・・・・・・・・・・・・・・・・・・眼鏡装置
４１０・・・・・・・・・・・・・・・・・・・・・・・受信部
ＣＬ・・・・・・・・・・・・・・・・・・・・・・・・中心線
ＬＡ・・・・・・・・・・・・・・・・・・・・・・・・左領域
ＲＡ・・・・・・・・・・・・・・・・・・・・・・・・右領域
【図１】
2011147123.tif 000003
【図２】
2011147123.tif 000004
【図３】
2011147123.tif 000005
【図４Ａ】
2011147123.tif 000006
【図４Ｂ】
2011147123.tif 000007
【図５Ａ】
2011147123.tif 000008
【図５Ｂ】
2011147123.tif 000009
【図６】
2011147123.tif 000010
【図７】
2011147123.tif 000011
【図９】
2011147123.tif 000012
【図１１】
2011147123.tif 000013
【図１２】
2011147123.tif 000014
【図１３】
2011147123.tif 000015
【図１４】
2011147123.tif 000016
【図１５】
2011147123.tif 000017
【図１６】
2011147123.tif 000018
【図８】
2011147123.tif 000019
【図１０】
2011147123.tif 000020